(57)【特許請求の範囲】
【請求項１】
キートップを押下して接点を導通し、復帰部材によりキートップを元の位置に戻すキースイッチ構造において、
前記キートップを上下動可能に支持する支持部材を複数具備し、
前記複数の支持部材はそれぞれ、少なくとも一辺が前記復帰部材の配置径以下であり、
前記複数の支持部材のうち少なくとも一つの支持部材に、非押下時のキートップを水平状態に保持する保持手段を設け、
前記保持手段は前記少なくとも一つの支持部材の両端部に設けられることを特徴とするキースイッチ構造。
【請求項２】
前記複数の支持部材はそれぞれ、前記キートップに設けられた摺動保持部または回転保持部に係合するとともに、ホルダーに設けられた回転保持部または摺動保持部に係合する請求項１記載のキースイッチ構造。
【請求項３】
前記複数の支持部材のうち少なくとも一つの支持部材の所定方向に位置ずれを規制する第１の規制手段と、前記少なくとも一つの支持部材に対するキートップの前記所定方向の位置ずれを規制する第２の規制手段とを設けた請求項１または請求項２記載のキースイッチ構造。
【請求項４】
前記複数の支持部材のうちの前記少なくとも一つの支持部材以外の支持部材の前記所定方向とは異なる方向の位置ずれを規制する第３の規制手段と、該前記少なくとも一つの支持部材以外の支持部材に対するキートップの前記異なる方向の位置ずれを規制する第４の規制手段とを設けた請求項３記載のキースイッチ構造。
【請求項５】
前記複数の支持部材のうち少なくとも一つの支持部材はキートップの非矩形の形状に沿って配置される請求項１記載のキースイッチ構造。
【発明の詳細な説明】
【技術分野】
【０００１】
本発明は、パーソナルコンピュータなどに使用されるキースイッチの構造に関し、特に薄型、小型のパーソナルコンピュータに用いられるキースイッチ構造に関する。
【背景技術】
【０００２】
従来、可搬型のパーソナルコンピュータ等に用いられるキーボードにおいては、キートップのどの部分を押下してもキートップが傾くことなく下降する所謂操作性を確保するようにしている。そのために従来のキースイッチ構造においては、キートップの下部にリンク機構を備えている。キートップの下部にリンク機構を備えたキースイッチ構造としては、例えば、特開２００１−２２９７６４号公報に開示されるものがある。
【０００３】
図１６に上記文献に開示されるリンク機構を備えた従来のキースイッチ構造を示す。図１６において、従来のキースイッチ１０は、キートップ１１と、キートップ１１に対して回転可能に設けられた第１リンク部材１２、キートップ１１に対して摺動可能に設けられた第２リンク部材１３、キートップ１１が押下されることにより屈曲し、押下力が排除されるとキートップ１１を元の位置に復帰させるラバードーム（弾性復帰部材）１４、第１、第２リンク部材１２、１３を保持するホルダー１５、ラバードーム１４の直下に接点部１６ａを有するメンブレンシート１６、ホルダー１５が固定されるバックプレート１７とにより構成されている。第１リンク部材１２と第２リンク部材１３によりリンク機構が構成される。
【０００４】
またバックプレート１７には上方に突出する打ち出し部１７ａが形成されており、この打ち出し部１７ａは、メンブレンシート１６に形成された透孔１６ｂに入り込む。またホルダー１５の下部には溶着用ピン１５ａが形成されており、この溶着用ピン１５ａは、バックプレート１７の打ち出し部１７ａに形成された孔１７ｂに入り込むようになっている。溶着用ピン１５ａが孔１７ｂに入り込んだ状態で、バックプレート１７は、メンブレンシート１６を挟んでホルダー１５に溶着される。
【０００５】
以上のキースイッチ構造においては、仮にキートップ１１の端部が押下された場合でも、第１、第２リンク部材１２、１３からなるリンク機構によりキートップ１１は水平状態を維持しながら下降する。例えば、図１６に矢印Ａで示すキートップ１１の端部の位置が押下された場合、まず第１リンク部材１２の右端部が下降する。第１リンク部材１２の左端部は左側へ移動する。これにより第１リンク部材１２の中央部は下降し、中央部で第１リンク部材１２と連結されている第２リンク部材１３も下降する。第２リンク部材１３の下降によりキートップ１１の左端部も下降する。このようにキートップ１１の端部を押下してもキートップ１１が水平状態を保ったまま下降することで、押下位置による操作感の差異がないように、即ち、操作性を確保するようにしている。
【先行技術文献】
【特許文献】
【０００６】
【特許文献１】特開２００１−２２９７６４号公報
【発明の概要】
【発明が解決しようとする課題】
【０００７】
しかしながら上記従来のキースイッチ構造においては、第１リンク部材と第２リンク部材で構成されるリンク機構がラバードームを囲むように配置されている。即ち、第１リンク部材と第２リンク部材が水平方向に重なった部分がラバードームの両側に位置している。そのためラバードームの両側にリンク機構を配設するためのより広いスペースを必要とし、キースイッチの幅を狭くすることが困難であるという問題があった。
【０００８】
また従来のキースイッチ構造においては、リンク機構を構成する第１リンク部材と第２リンク部材のうち、一方のリンク部材のホルダー側を摺動可能とするとともに他方のリンク部材のキートップ側を摺動可能としているので、キートップが押下された際にキートップは水平方向にずれながら下降するという問題もあった。
【課題を解決するための手段】
【０００９】
上記課題を解決するために本発明は、キートップを押下して接点を導通し、復帰部材によりキートップを元の位置に戻すキースイッチ構造において、前記キートップを上下動可能に支持する支持部材を複数具備し、前記複数の支持部材はそれぞれ、少なくとも一辺が前記復帰部材の配置径以下であり、前記複数の支持部材のうち少なくとも一つの支持部材に、非押下時のキートップを水平状態に保持する保持手段を設け、前記保持手段は前記少なくとも一つの支持部材の両端部に設けられることを特徴とするものである。
【発明の効果】
【００１０】
本発明によれば、支持部材が復帰部材の周囲に配設されない構成とすることが可能となり、幅狭のキースイッチを提供することが可能となる。また複数の支持部材のうち少なくとも一つの支持部材に、非押下時のキートップを水平状態に保持する保持手段を設け、該保持手段を少なくとも一つの支持部材の両端部に設けるようにすることにより、非押下時のキートップを水平状態に安定して保持することができる効果がある。
【図面の簡単な説明】
【００１１】
【図１】本発明の実施例１のキースイッチ構造を示す平面図である。
【図２】実施例１のキースイッチ構造を示す側面図である。
【図３】実施例１の第１支持部とその周辺を示す側面図である。
【図４】実施例１の第１支持部材とその周辺を示す拡大平面図である。
【図５】第２支持部とその周辺を示す側面図である。
【図６】第２摺動保持部を示す側面図である。
【図７】第３支持部材とその周辺を示す側面図である。
【図８】第１ホルダーを示す平面図である。
【図９】第２ホルダーを示す平面図である。
【図１０】第１ホルダーおよび第２ホルダーの固定状態を示す説明図である。
【図１１】第１支持部材、第２支持部材及び第３支持部材とラバードームの大きさの関係を示す説明図である。
【図１２】第１支持部材の動作を示す説明図である。
【図１３】第２支持部材の動作を示す説明図である。
【図１４】第３支持部材の動作を示す説明図である。
【図１５】実施例２のキースイッチを示す平面図である。
【図１６】リンク機構を備えた従来のキースイッチ構造を示す断面図である。
【発明を実施するための形態】
【００１２】
以下、本発明の実施の形態を図面にしたがって説明する。図１は本発明の実施例１のキースイッチ構造を示す平面図、図２は実施例１のキースイッチ構造を示す側面図である。
【実施例１】
【００１３】
図１、図２において、実施例１のキースイッチ２０は、キートップ２１と、キートップ２１を上下動可能に支持する第１支持部材２２、第２支持部材２３および第３支持部材２４、第１支持部材２２および第３支持部材２４を保持する第１ホルダー２５、第２支持部材２３および第３支持部材２４を保持する第２ホルダー２６、キートップ２１が押下されると屈曲し、押下力が排除されるとキートップ２１を元の位置に復帰させるラバードーム（復帰部材）２７、ラバードーム２７の直下に図示しない接点部を有するメンブレンシート２８およびバックプレート２９とを有する。なお図１においてキートップ２１は説明の都合上破線で示してある。
【００１４】
キートップ２１の下面には、一対の第１摺動保持部３１ａ、３１ｂ、一対の第２摺動保持部３２ａ、３２ｂおよび一対の回転保持部３３ａ、３３ｂが設けられている。第１摺動保持部３１ａ、３１ｂは、図１、図３に示すように、第１支持部材２２の一方の端部両側面に形成された摺動ピン２２ａ、２２ｂが摺動可能に係合する溝部３１ｃ、３１ｄを有し、摺動ピン２２ａ、２２ｂは、キートップ２１が押下された際および押下状態から元の位置に復帰する際に、溝部３１ｃ、３１ｄ内を摺動する。また摺動ピン２２ａ、２２ｂの先端部により溝部３１ｃ、３１ｄの外側壁３１ｃａ、３１ｄａがそれぞれ位置規制されることにより、キートップ２１が図１に示す矢印Ｙ方向に位置規制される。なお図３は第１支持部とその周辺を示す側面図である。
【００１５】
図４は第１支持部材とその周辺を示す拡大平面図である。図３、図４において、第１摺動保持部３１ａ、３１ｂの上部はそれぞれキートップ２１の矢印Ｙ方向の中央方向に延長されており、この延長部３１ｅ、３１ｆの下面に、キートップ２１が非押下時に、第１支持部材２２の端部に形成された面取り部２２ｃ（図３に示す）が面接触する。面取り部２２ｃが延長部３１ｅ、３１ｆの下面に面接触することにより、キートップ２１は非押下時に安定した状態で位置保持される。
【００１６】
第１支持部材２２の他方の端部両側面には回転ピン２２ｄ、２２ｅが形成され、回転ピン２２ｄ、２２eは第１ホルダー２５に形成された溝部２５ａ、２５ｂにそれぞれ回転可能に嵌入している。回転ピン２２ｄ、２２ｅの先端部がそれぞれ溝部２５ａ、２５ｂの奥壁２５ａａ、２５ｂａにより位置規制されることにより、第１支持部材２２が図１に示す矢印Ｙ方向に位置規制される。第１支持部材２２の他方の端部先端側には突起部２２ｆが設けられている。突起部２２ｆは、図３に示すように第１支持部材２２の回転角度を規制するもので、第１支持部材２２が所定の角度まで回転した際にメンブレンシート２８に面接触するテーパ面２２ｆａが形成されている。突起部２２ｆは、図４に示すように、第１ホルダー２５の溝部２５ｃに回転可能に入り込んでいる。
【００１７】
第２摺動保持部３２ａ、３２ｂは、図５、図６に示すように、第２支持部材２３の一方の端部両側面に形成された摺動円柱部２３ａの両端部が摺動可能に係合する溝部３２ｃ、３２ｄを有し、摺動円柱部２３ａは、キートップ２１が押下された際および押下状態から元の位置に復帰する際に、溝部３２ｃ、３２ｄ内を摺動する。また摺動円柱部２３ａの両端部がそれぞれ溝部３２ｃ、３２ｄに係合することにより、キートップ２１が図６に示す矢印Ｙ方向に位置規制される。なお図５は第２支持部材とその周辺を示す側面図、図６は第２摺動保持部を示す側面図である。
【００１８】
図１、図５において、第２支持部材２３の他方の端部両側面には回転ピン２３ｅ、２３ｆが形成され、回転ピン２３ｅ、２３ｆは第２ホルダー２６に形成された溝部２６ａ、２６ｂにそれぞれ回転可能に嵌入している。回転ピン２３ｅ、２３ｆの先端部がそれぞれ溝部２６ａ、２６ｂの奥壁により位置規制されることにより、第２支持部材２３が図１に示す矢印Ｙ方向に位置規制される。第２支持部材２３の他方の端部には面取り部２３ｇが形成されている。面取り部２３ｇは、図５に示すように第２支持部材２３の回転角度を規制するもので、第２支持部材２３が所定の角度まで回転した際にメンブレンシート２８に面接触する。第２支持部材２３の他方の端部は、第２ホルダー２６の溝部２６ｃに回転可能に入り込んでいる。
【００１９】
第２支持部材２３は、図１及び図５から判るように、クランク状の角柱からなり、その側面２３ｈ、２３ｉが第２ホルダー２６の内壁部２６ｇ、２６ｈに摺接することによっても、第２支持部材２３は図１に示す矢印Ｙ方向に位置規制される。また本実施例で第２支持部材２３をクランク状に形成しているように、キースイッチの形状、大きさ又はラバードームの配置等に応じて、支持部材の形状を変えることができ、柔軟な対応が可能である。
【００２０】
一対の回転保持部３３ａ、３３ｂは第３支持部材２４を回転可能に保持する。即ち、回転保持部３３ａ、３３ｂは、図１及び図７に示すように、第３支持部材２４の支軸部２４ａを回転可能に保持する溝部３３ｃ、３３ｄをそれぞれ有し、支軸部２４ａは、キートップ２１が押下された際および押下状態から元の位置に復帰する際に、溝部３３ｃ、３３ｄ内を回転する。図７は第３支持部材とその周辺を示す側面図である。
【００２１】
第３支持部材２４は概ねコの字状に形成され、支軸部２４ａの他に側端部２４ｂ、２４ｃおよび先端部２４ｄ、２４ｅを有する。一方の先端部２４ｄは、図１に示すように、第１ホルダー２５に形成された溝部２５ｄに矢印Ｙ方向に摺動可能に嵌入している。第１ホルダー２５には突起部２５ｅが形成され、突起部２５ｅの先端部が第３支持部材２４の側端部２４ｂの内側に当接している。またキートップ２１の端部内側には固定壁２１ａが突出して形成されており、固定壁２１ａは第３支持部材２４の側端部２４ｂの外側に当接している。即ち、上記突起部２５ｅと固定壁２１ａとで第３支持部材２４の側端部２４ｂを摺動可能に保持している。第３支持部材２４の側端部２４ｂはキートップ２１の押下に伴って回動動作をするが、突起部２５ｅおよび固定壁２１ａは、側端部２４ｂが回動動作をしても常に側端部２４ｂに当接するような形状および位置に形成されている。
【００２２】
第３支持部材２４の他方の先端部２４ｅは、図１に示すように、第２ホルダー２６に形成された溝部２６ｄに矢印Ｙ方向に摺動可能に嵌入している。第２ホルダー２６には壁部２６ｅが形成され、壁部２６ｅは第３支持部材２４の側端部２４ｃの内側に当接している。またキートップ２１の端部内側には固定壁２１ｂが突出して形成されており、固定壁２１ｂは第３支持部材２４の側端部２４ｃの外側に当接している。即ち、上記壁部２６ｅと固定壁２１ｂとで第３支持部材２４の側端部２４ｃを摺動可能に保持している。壁部２６ｅおよび固定壁２１ｂは、第３支持部材２４の側端部２４ｃが回動動作をしても常に側端部２４ｃに当接するような形状および位置に形成されている。
【００２３】
図８は第１ホルダーを示す平面図である。図８において、第１ホルダー２５には、複数（３個）の固定用ピン２５ｆが設けられ、また第２ホルダー２６にも、図９に示すように、複数（２個）の固定用ピン２６ｆが設けられている。これらの固定用ピン２５ｆ、２６ｆは、図１０に示すバックプレート２９に形成された打ち出し部２９ａに形成された孔２９ｂに挿入されて溶着される。打ち出し部２９ａの上部はメンブレンシート２８に形成された孔２８ａに挿入され、第１ホルダー２５および第２ホルダー２６は、直接バックプレート２９に固定される。
【００２４】
ラバードーム（復帰部材）２７は、図２に示すように、メンブレンシート２８とキートップ２１の間に配置され、キートップ２１の押下時にメンブレンシート２８を押圧する突起部２７ａが形成されている。突起部２７ａの下方のメンブレンシート２８には、図示していないが接点部が設けられている。突起部２７ａが接点部を押圧することにより接点部が電気的に導通される。
【００２５】
図１１は本実施例の第１支持部材２２、第２支持部材２３および第３支持部材２４とラバードーム２７との大きさの関係を示す説明図である。図１１において、ラバードーム２７の径（配置径）をＬとし、第１支持部材２２の摺動ピン２２ａの先端から摺動ピン２２ｂの先端までの距離（第１支持部材２２を矩形とした場合の短い方の辺の長さ）をＬ１とし、第２支持部材２３の幅（同様に第２支持部材２３を矩形とした場合の短い方の辺の長さ）をＬ２とし、第３支持部材２４の幅（同様に第３支持部材２４を矩形とした場合の短い方の辺の長さ）をＬ３とする。
【００２６】
この場合、本実施例では、Ｌ１、Ｌ２、Ｌ３ともにラバードーム２７の径Ｌ以下に設定している（Ｌ１≦Ｌ、Ｌ２≦Ｌ、Ｌ３≦Ｌ）。これによりラバードーム２７の径に囚われないで支持部材を配置することが可能となり、また支持部材をラバードーム２７の径より小さくすることにより、支持部材自体を小さくし、それによりキースイッチ自体の大きさを小さくすることが可能である。さらにキースイッチの形状にも柔軟に対応することも可能である。
【００２７】
次に本実施例の動作を説明する。キートップ２１が押下される前の状態は図２に示す状態である。この状態では、第１支持部材２２の突起部２２ｆのテーパ面２２ｆａが、メンブレンシート２８に面接触しているので、また、第１支持部材２２の端部に形成された面取り部２２ｃが第１摺動保持部３１ａ、３１ｂの延長部３１ｅ、３１ｆに面接触しているので、キートップ２１は安定した状態で位置保持されている。また第２支持部材２３に形成された面取り部２３ｇがメンブレンシート２８に面接触しているので、これによってもキートップ２１は安定した状態に保持される。
【００２８】
この状態から図２に示す矢印方向にキートップ２１が押下されると、第１支持部材２２は回転ピン２２ｄ、２２ｅを中心に図２における時計回り方向に回転する。このときキートップ２１の第１摺動保持部３１ａ、３１ｂの溝部３１ｃ、３１ｄを第１支持部材２２の摺動ピン２２ａ、２２ｂが水平方向に摺動する。キートップ２１を最下部まで押下すると、第１支持部材２２は、図１２に示すように略水平状態になる。
【００２９】
また第２支持部材２３は、回転ピン２３ｅ、２３ｆを中心に図２における反時計回り方向に回転する。このとき摺動円柱部２３ａが、第２摺動保持部３２ａ、３２ｂの溝部３２ｃ、３２ｄ内を水平方向に摺動する。キートップ２１が最下部まで押下されると、第２支持部材２３は、図１３に示すように、略水平状態になる。
【００３０】
第３支持部材２４は、回転保持部３３ａ、３３ｂに保持されている支軸部２４ａを中心に、図７に示す状態から反時計回り方向に回転する。このとき第３支持部材２４の先端部２４ｄ、２４ｅは、それぞれ第１ホルダー２５の溝部２５ｄおよび第２ホルダー２６の溝部２６ｄ内を水平方向に摺動する。キートップ２１が最下部まで押下されると、第３支持部材２４は、図１４に示すように、略水平状態になる。
【００３１】
以上の一連の動作が同時に行われているとき、第１支持部材２２は、図４に示すように、回転ピン２２ｄ、２２ｅの先端部がそれぞれ第１ホルダー２５の溝部２５ａ、２５ｂの奥壁２５ａａ、２５ｂａにより位置規制されることにより、矢印Ｙ方向の位置ずれが規制される。そして第１摺動保持部３１ａ、３１ｂは、第１支持部材２２の摺動ピン２２ａ、２２ｂの先端部によりそれぞれ溝部３１ｃ、３１ｄの外側壁３１ｃａ、３１ｄａが位置規制されており、これによりキートップ２１が矢印Ｙ方向への位置ずれを規制される。
【００３２】
また第２支持部材２３は、図１に示すように、その側面２３ｈ、２３ｉが第２ホルダー２６の内壁部２６ｇ、２６ｈに摺接して位置規制されることにより、矢印Ｙ方向の位置ずれを規制される。そして第２摺動保持部３２ａ、３２ｂは、第２支持部材２３の摺動円柱部２３ａの先端部によりそれぞれ溝部３２ｃ、３２ｄの奥部が位置規制されており、これによってもキートップ２１が矢印Ｙ方向への位置ずれを規制される。
【００３３】
第３支持部材２４は、図１に示すように、一方の側端部２４ｂの内側が第１ホルダー２５の突起部２５ｅに当接し、他方の側端部２４ｃの内側が第２ホルダー２６の壁部２６ｅに当接することにより矢印Ｘ方向の位置ずれが規制されている。そしてキートップ２１に内側に向けて形成された固定壁２１ａが第３支持部材２４の側端部２４ｂの外側に当接し、キートップ２１の反対側に同様に内側に向けて形成された固定壁２１ｂが第３支持部材２４の他方の側端部２４ｃの外側に当接しており、これによりキートップ２１は矢印Ｘ方向への位置ずれを規制される。以上のようにキートップ２１は押下された際、矢印Ｘ方向へも矢印Ｙ方向へも位置ずれせず、また傾くことも回転することもなく、オペレータによる垂直方向の押下に対して垂直に下降する。
【００３４】
キートップ２１は水平状態を保ち、垂直方向に下降する。これによりラバードーム２７はキートップ２１の裏面により押圧されて座屈する。座屈したラバードーム２７の突起部２７ａがメンブレンシート２８の図示しない接点部を押圧し、キースイッチが電気的に導通する。オペレータがキートップ２１に対する押下力を排除すると、ラバードーム２７の復帰力により押し上げられてキートップ２１は上方へ移動するが、これに伴って、第１支持部材２２、第２支持部材２３および第３支持部材２４がそれぞれ押下時と反対方向の動作を行い、キートップ２１は水平状態を保ったまま上方へ移動する。
【００３５】
以上のように実施例１によれば、第１支持部材２２、第２支持部材２３および第３支持部材２４のそれぞれの少なくとも一辺をラバードーム２７の配置径以下にしたので、支持部材をラバードーム２７を囲まないように配置することで、キースイッチの幅を狭くすることが可能となる。またキートップ２１の大きさの割にラバードーム２７の大きさを大きくできるので、キースイッチの長ストローク化および長寿命化を図ることができる。さらに第１支持部材２２に回転角度を規制するための突起部２２ｆおよび面取り部２２ｃを形成し、また第２支持部材２３にも面取り部２３ｇを形成したので、キートップ２１の非押下時にキートップ２１が確実に水平状態を保つことができる。さらにキートップ２１の位置ずれ防止機能を有するので、押下時に、Ｘ方向にもＹ方向にも位置ずれすることなく垂直方向に下降する。
【実施例２】
【００３６】
次に実施例２について説明する。図１５は実施例２のキースイッチを示す平面図である。図１５において、実施例２のキースイッチ４０は、キートップ４１、キートップ４１上下動可能に支持する第１支持部材４２、第２支持部材４３および第３支持部材２４、第１支持部材４２および第３支持部材２４を保持する第１ホルダー４５、第２支持部材４３および第３支持部材２４を保持する第２ホルダー４６、キートップ４１が押下されると屈曲し、押下力が排除されるとキートップ４１を元の位置に復帰させるラバードーム２７、ラバードーム２７の直下に図示しない接点部を有するメンブレンシートおよびバックプレートとを有する。（メンブレンシートとバックプレートは図示していない。）
【００３７】
キートップ４１の平面形状は矩形ではなく、湾曲形状となっている。第１支持部材４２は実施例１の第１支持部材２２と同様の形状で同様に回転可能になっているが、その回転軸４２ａは矢印Ｙ方向に対して角度θ１だけキートップ４１の形状に沿った方向に変位している。それに伴って、第１ホルダー４５の溝部４５ａ、４５ｂ、４５ｃが実施例１のそれらに対して矢印Ｙ方向に対して角度θ１だけ傾けて形成されており、また第１摺動保持部５１ａ、５１ｂも矢印Ｙ方向に対して角度θ１だけ傾けて配置されている。
【００３８】
また第２支持部材４３も実施例１の第２支持部材２３と同様の形状で同様に回転可能となっているが、その回転軸４３ａは矢印Ｙ方向に対して角度θ２だけキートップ４１の形状に沿った方向に変位している。それに伴って、第２ホルダー２６の溝部４６ａ、４６ｂが実施例１のそれらに対して矢印Ｙ方向に対して角度θ２だけ傾けて形成され、第２摺動保持部５２ａ、５２ｂも矢印Ｙ方向に対して角度θ２だけ傾けて配置されている。その他の構成は実施例１と同様である。
【００３９】
上記構成の実施例２においては、キートップ４１押下による動作は上記実施例１と同様である。実施例２においては、第１支持部材４２および第２支持部材４３を傾けて配置することにより、キートップ４１の形状に沿った配置とすることができる。第１支持部材４２および第２支持部材４３をキートップ４１の形状に沿った配置とすることにより、キートップ４１の上面のどこを押下されても、キートップ４１が傾くことなく、水平状態を保ちながら下降することが可能となる。
【００４０】
上記各実施例では支持部材を３個設けた例を説明したが、本発明は支持部材の数は３個に限定されるものではなく、２個、４個または他の数でもよい。また上記実施例では支持部材の形状として、板状（第１支持部材）、角柱状（第２支持部材）および丸棒状（第３支持部材）の３種類の形状支持部材を使用する例を示したが、キースイッチの大きさ及び形状に応じて、どの形状の支持部材を使用するか選択可能である。例えば、キースイッチが大きい場合は板状の支持部材を使用することができ、キースイッチが細長い場合は丸棒状の支持部材を使用することができる。
【００４１】
さらに上記実施例では第１支持部材および第２支持部材をクランク形状としたが、クランク形状とすることにより、支持部材の配置に柔軟性を持たせることができ、より一層キースイッチの形状に応じた配置とすることが可能となる。即ち、支持部材のクランク形状はキースイッチの形状および配置位置に応じて柔軟に変更可能である。
【産業上の利用可能性】
【００４２】
本発明のキースイッチ構造は、情報処理機器、測定装置、医療機器などにおける入力装置として用いられるキーボード装置に用いられ、特に小型、薄型のパーソナルコンピュータの入力装置としてのキーボード装置に用いられる。
【符号の説明】
【００４３】
２０、４０  キースイッチ
２１、４１  キートップ
２１ａ、２１ｂ  固定壁
２２、４２  第１支持部材
２２ｃ  面取り部
２２ｆ  突起部
２３、４３  第２支持部材
２３ｇ  面取り部
２４  第３支持部材
２５、４５  第１ホルダー
２５ｂ  溝部
２６、４６  第２ホルダー
２６ｅ  壁部
２７  ラバードーム
２８  メンブレンシート
３１ａ、３１ｂ  第１摺動保持部
３２ａ、３２ｂ  第２摺動保持部
【図１】
0005621353.tif 000002
【図２】
0005621353.tif 000003
【図３】
0005621353.tif 000004
【図４】
0005621353.tif 000005
【図５】
0005621353.tif 000006
【図６】
0005621353.tif 000007
【図７】
0005621353.tif 000008
【図８】
0005621353.tif 000009
【図９】
0005621353.tif 000010
【図１０】
0005621353.tif 000011
【図１１】
0005621353.tif 000012
【図１２】
0005621353.tif 000013
【図１３】
0005621353.tif 000014
【図１４】
0005621353.tif 000015
【図１５】
0005621353.tif 000016
【図１６】
0005621353.tif 000017